(57)【要約】【課題】ハンドオーバの要求から実行指示までに時間を要する場合において、ハンドオーバ先として要求したセルへの無駄なハンドオーバ処理による通信品質の劣化を抑制できる無線通信システム、無線制御装置及びハンドオーバ制御方法を提供する。【解決手段】無線制御装置１００は、要求受付部１０３がハンドオーバ要求を受け付けた時点からの経過時間Ｔを計測するタイマ１０７と、タイマ１０７が計測する経過時間Ｔが所定の時間に達したか否かを監視するハンドオーバ監視部１０５と、ハンドオーバ監視部１０５によって経過時間Ｔがハンドオーバタイマ値ＴＢに達したと判定された場合、ハンドオーバの中止を指示する中止指示を無線端末に送信するハンドオーバ制御部１０９とを備える。【選択図】図２
2011004292.tif 000002
【特許請求の範囲】
【請求項１】
周辺セルへのハンドオーバを要求するハンドオーバ要求を送信する無線端末と、
前記無線端末から前記ハンドオーバ要求を受け付ける要求受付部を備える無線制御装置と
を含む無線通信システムであって、
前記無線制御装置は、
前記要求受付部が前記ハンドオーバ要求を受け付けた時点からの経過時間を計測するタイマと、
前記タイマが計測する前記経過時間が所定の時間に達したか否かを監視するハンドオーバ監視部と、
前記ハンドオーバ監視部によって前記経過時間が前記所定の時間に達したと判定された場合、前記ハンドオーバの中止を指示する中止指示を前記無線端末に送信するハンドオーバ制御部と
を備え、
前記無線端末は、前記無線制御装置から受信した前記中止指示に基づいて、前記ハンドオーバを中止するハンドオーバ中止処理部を備える無線通信システム。
【請求項２】
周辺セルへのハンドオーバを要求するハンドオーバ要求を無線端末から受け付ける要求受付部を備える無線制御装置であって、
前記要求受付部が前記ハンドオーバ要求を受け付けた時点からの経過時間を計測するタイマと、
前記タイマが計測する前記経過時間が所定の時間に達したか否かを監視するハンドオーバ監視部と、
前記ハンドオーバ監視部によって前記経過時間が前記所定の時間に達したと判定された場合、前記ハンドオーバの中止を指示する中止指示を前記無線端末に送信するハンドオーバ制御部と
を備える無線制御装置。
【請求項３】
前記周辺セルと前記無線端末との間における無線品質を取得する無線品質取得部を備え、
前記ハンドオーバ制御部は、前記無線品質取得部が取得した前記無線品質が所定の閾値以下である場合、前記経過時間が前記所定の時間に達していなくても前記中止指示を前記無線端末に送信する請求項２に記載の無線制御装置。
【請求項４】
前記ハンドオーバ制御部は、前記無線品質取得部が取得した前記無線品質が所定の閾値を超える場合、前記タイマを再起動し、前記タイマに前記経過時間をあらためて計測させる請求項３に記載の無線制御装置。
【請求項５】
前記ハンドオーバ監視部は、前記無線端末の移動性に基づいて分別された端末種別に基づいて、前記所定の時間を決定する請求項２に記載の無線制御装置。
【請求項６】
周辺セルへのハンドオーバを要求するハンドオーバ要求を送信する無線端末から前記ハンドオーバ要求を受け付け、前記ハンドオーバの実行を制御するハンドオーバ制御方法であって、
前記無線端末から前記ハンドオーバ要求を受け付けた時点からの経過時間を計測するステップと、
前記経過時間が所定の時間に達したか否かを監視するステップと、
前記経過時間が前記所定の時間に達したと判定された場合、前記ハンドオーバの中止を指示する中止指示を前記無線端末に送信するステップと、
前記無線端末が、受信した前記中止指示に基づいて前記ハンドオーバを中止するステップとを備えるハンドオーバ制御方法。
【発明の詳細な説明】
【技術分野】
【０００１】
本発明は、周辺セルへのハンドオーバを要求するハンドオーバ要求を送信する無線端末から前記ハンドオーバ要求を受け付け、ハンドオーバの実行を制御する無線通信システム、無線制御装置及びハンドオーバ制御方法に関する。
【背景技術】
【０００２】
IMT-2000などの無線通信システムでは、無線端末が通信中のセルから他のセルへのハンドオーバを実行する際、より確実にハンドオーバを完了させるため、そのときの無線通信システムの状態に応じてハンドオーバの実行可否が判定される。
【０００３】
例えば、無線端末の周辺セルにおいて、ハンドオーバを要求した無線端末のサービスクラスに対応する受付可能端末数が所定の閾値を超えるか否かが判定され、受付可能端末数が所定の閾値を超える場合のみ、無線制御装置（RNC）から当該無線端末に対してハンドオーバの実行を指示する方法が知られている（例えば、特許文献１）。
【先行技術文献】
【特許文献】
【０００４】
【特許文献１】特開２００４−１２８６３６号公報（第１７頁、第１０図）
【発明の概要】
【発明が解決しようとする課題】
【０００５】
しかしながら、上述した従来の方法には、次のような問題があった。すなわち、無線端末がハンドオーバを要求してからハンドオーバの実行指示を受信するまでに長い時間を要すると、当該指示を受信したときには、無線端末の移動などに伴ってハンドオーバ先として要求したセルとの通信が既に不可能になっている場合が起こり得る。
【０００６】
この場合、既にハンドオーバ先として要求したセルとの通信が不可能であるにもかかわらず、当該セルへの無駄なハンドオーバ処理が実行される。このため、結果的にハンドオーバ完了までにさらに時間を要し、無線端末の通信品質の劣化を招来する問題がある。
【０００７】
そこで、本発明は、ハンドオーバの要求から実行指示までに時間を要する場合において、ハンドオーバ先として要求したセルへの無駄なハンドオーバ処理による通信品質の劣化を抑制できる無線通信システム、無線制御装置及びハンドオーバ制御方法の提供を目的とする。
【課題を解決するための手段】
【０００８】
上述した問題を解決するため、本発明は、次のような特徴を有している。まず、本発明の第１の特徴は、周辺セル（例えば、セル４００Ｂ）へのハンドオーバを要求するハンドオーバ要求を送信する無線端末（無線端末３００）と、前記無線端末から前記ハンドオーバ要求を受け付ける要求受付部（要求受付部１０３）を備える無線制御装置（無線制御装置１００）とを含む無線通信システム（無線通信システム１）であって、前記無線制御装置は、前記要求受付部が前記ハンドオーバ要求を受け付けた時点からの経過時間（経過時間Ｔ）を計測するタイマ（タイマ１０７）と、前記タイマが計測する前記経過時間が所定の時間（ハンドオーバタイマ値ＴＢ）に達したか否かを監視するハンドオーバ監視部（ハンドオーバ監視部１０５）と、前記ハンドオーバ監視部によって前記経過時間が前記所定の時間に達したと判定された場合、前記ハンドオーバの中止を指示する中止指示を前記無線端末に送信するハンドオーバ制御部（ハンドオーバ制御部１０９）とを備え、前記無線端末は、前記無線制御装置から受信した前記中止指示に基づいて、前記ハンドオーバを中止するハンドオーバ中止処理部（ハンドオーバ中止処理部３０５）を備えることを要旨とする。
【０００９】
本発明の第２の特徴は、周辺セルへのハンドオーバを要求するハンドオーバ要求を無線端末から受け付ける要求受付部を備える無線制御装置であって、前記要求受付部が前記ハンドオーバ要求を受け付けた時点からの経過時間を計測するタイマと、前記タイマが計測する前記経過時間が所定の時間に達したか否かを監視するハンドオーバ監視部と、前記ハンドオーバ監視部によって前記経過時間が前記所定の時間に達したと判定された場合、前記ハンドオーバの中止を指示する中止指示を前記無線端末に送信するハンドオーバ制御部とを備えることを要旨とする。
【００１０】
本発明の第３の特徴は、本発明の第２の特徴に係り、前記周辺セルと前記無線端末との間における無線品質を取得する無線品質取得部（無線品質取得部１１１）を備え、前記ハンドオーバ制御部は、前記無線品質取得部が取得した前記無線品質が所定の閾値以下である場合、前記経過時間が前記所定の時間に達していなくても前記中止指示を前記無線端末に送信することを要旨とする。
【００１１】
本発明の第４の特徴は、本発明の第３の特徴に係り、前記ハンドオーバ制御部は、前記無線品質取得部が取得した前記無線品質が所定の閾値を超える場合、前記タイマを再起動し、前記タイマに前記経過時間をあらためて計測させることを要旨とする。
【００１２】
本発明の第５の特徴は、本発明の第２の特徴に係り、前記ハンドオーバ監視部は、前記無線端末の移動性に基づいて分別された端末種別に基づいて、前記所定の時間を決定することを要旨とする。
【００１３】
本発明の第６の特徴は、周辺セルへのハンドオーバを要求するハンドオーバ要求を送信する無線端末から前記ハンドオーバ要求を受け付け、前記ハンドオーバの実行を制御するハンドオーバ制御方法であって、前記無線端末から前記ハンドオーバ要求を受け付けた時点からの経過時間を計測するステップと、前記経過時間が所定の時間に達したか否かを監視するステップと、前記経過時間が前記所定の時間に達したと判定された場合、前記ハンドオーバの中止を指示する中止指示を前記無線端末に送信するステップと、前記無線端末が、受信した前記中止指示に基づいて前記ハンドオーバを中止するステップとを備えることを要旨とする。
【発明の効果】
【００１４】
本発明の特徴によれば、ハンドオーバの要求から実行指示までに時間を要する場合において、ハンドオーバ先として要求したセルへの無駄なハンドオーバ処理による通信品質の劣化を抑制できる無線通信システム、無線制御装置及びハンドオーバ制御方法を提供できる。
【図面の簡単な説明】
【００１５】
【図１】本発明の実施形態に係る無線通信システム１の全体概略構成図である。
【図２】本発明の実施形態に係る無線制御装置１００の機能ブロック図である。
【図３】本発明の実施形態に係る無線端末３００の機能ブロック図である。
【図４】本発明の実施形態に係る無線通信システム１におけるハンドオーバシーケンスを示す図である。
【図５】本発明の実施形態に係る無線制御装置１００のハンドオーバ処理フローを示す図である。
【発明を実施するための形態】
【００１６】
次に、本発明の実施形態について説明する。具体的には、（１）無線通信システムの全体概略構成、（２）無線制御装置の構成、（３）無線端末の構成、（４）無線通信システムの動作、（５）作用・効果、及び（６）その他の実施形態について説明する。
【００１７】
なお、以下の図面の記載において、同一または類似の部分には、同一または類似の符号を付している。ただし、図面は模式的なものであり、各寸法の比率などは現実のものとは異なることに留意すべきである。
【００１８】
したがって、具体的な寸法などは以下の説明を参酌して判断すべきものである。また、図面相互間においても互いの寸法の関係や比率が異なる部分が含まれていることは勿論である。
【００１９】
（１）無線通信システムの全体概略構成
図１は、本実施形態に係る無線通信システム１の全体概略構成図である。図１に示すように、無線通信システム１は、コアネットワーク１０、無線制御装置１００、無線基地局２００Ａ，２００Ｂ、及び無線端末３００を含む。
【００２０】
コアネットワーク１０には、無線制御装置１００が接続される。コアネットワーク１０には、他の無線制御装置（不図示）も接続され、無線制御装置間において送受されるパケットを中継する。無線通信システム１は、IMT-2000方式、具体的には、W-CDMA方式に従って動作する。
【００２１】
無線制御装置１００は、無線基地局２００Ａ，２００Ｂ、及び無線端末３００を制御する。特に、本実施形態では、無線制御装置１００は、無線基地局２００Ａ，２００Ｂを経由して無線端末３００から周辺セルへのハンドオーバを要求するハンドオーバ要求を受け付ける。無線制御装置１００は、受け付けたハンドオーバ要求に基づいて、無線基地局２００Ａ，２００Ｂ及び無線端末３００を制御し、無線端末３００の周辺セルへのハンドオーバを実行させる。
【００２２】
無線基地局２００Ａ，２００Ｂは、無線端末３００とW-CDMA方式に従った無線通信を実行する。無線基地局２００Ａは、無線端末３００と無線通信を実行することができる範囲であるセル４００Ａを形成する。同様に、無線基地局２００Ｂは、セル４００Ｂを形成する。
【００２３】
無線端末３００は、無線基地局２００Ａ，２００ＢとW-CDMA方式に従った無線通信を実行する。また、無線端末３００は、無線基地局２００Ａ（または無線基地局２００Ｂ）との無線品質（例えば、CINR）基づいて、周辺セル（例えば、セル４００Ｂ）へのハンドオーバを実行する。具体的には、無線端末３００は、当該無線品質が所定の閾値より劣化した場合、無線制御装置１００に対して、周辺セルへのハンドオーバ要求を送信する。
【００２４】
（２）無線制御装置の構成
図２は、無線制御装置１００の機能ブロック図である。図２に示すように、無線制御装置１００は、無線通信制御部１０１、要求受付部１０３、ハンドオーバ監視部１０５、タイマ１０７、ハンドオーバ制御部１０９及び無線品質取得部１１１を備える。なお、以下、本発明と関連する部分について主に説明する。したがって、無線制御装置１００は、無線制御装置１００としての機能を実現する上で必須な、図示しない或いは説明を省略したブロック（電源部など）を備えることに留意されたい。
【００２５】
無線通信制御部１０１は、無線基地局２００Ａ，２００Ｂと、無線端末３００との間において実行される無線通信を制御する。具体的には、無線通信制御部１０１は、無線基地局２００Ａ，２００Ｂ及び無線端末３００の送信電力制御や各種チャネルの割当などを実行する。
【００２６】
要求受付部１０３は、無線端末３００からハンドオーバ要求を受け付ける。無線端末３００が送信するハンドオーバ要求には、無線端末３００のハンドオーバにおいて追加を要求するセルの情報、無線端末３００が無線信号を受信し、無線品質を測定している全てのセルの情報、及び当該セル毎の無線品質の測定結果が含まれる。
【００２７】
ハンドオーバ監視部１０５は、無線端末３００のハンドオーバを監視する。特に、本実施形態では、ハンドオーバ監視部１０５は、要求受付部１０３が無線端末３００からハンドオーバ要求を受け付けた時点からの経過時間Ｔがハンドオーバタイマ値ＴＢ（所定の時間）に達したか否かを監視する。
【００２８】
また、ハンドオーバ監視部１０５は、無線端末３００の移動性に基づいて分別された端末種別に基づいて、ハンドオーバタイマ値ＴＢを決定する。ハンドオーバタイマ値ＴＢは、無線端末３００の受信能力や制御方法に基づいて予め決定される。例えば、端末種別としては、家電製品などに組み込まれるような無線端末や、コンピュータに取り付けるデータ通信用の無線端末は、基本的に通信中に移動しないため、ハンドオーバタイマ値ＴＢとして大きい値が設定される。一方、携帯電話端末や、いわゆるスマートフォンなどは、通信中に頻繁に移動するため、ハンドオーバタイマ値ＴＢとして比較的小さい値が設定される。
【００２９】
タイマ１０７は、要求受付部１０３が無線端末３００からハンドオーバ要求を受け付けた時点からの経過時間Ｔを計測する。タイマ１０７は、ハンドオーバ監視部１０５からの制御に基づいて経過時間Ｔを計測する。
【００３０】
ハンドオーバ制御部１０９は、無線端末３００のハンドオーバを制御する。特に、本実施形態では、ハンドオーバ制御部１０９は、ハンドオーバ監視部１０５によって経過時間Ｔがハンドオーバタイマ値ＴＢに達したと判定された場合、当該ハンドオーバの中止を指示する中止指示を無線端末３００に送信する。
【００３１】
また、ハンドオーバ制御部１０９は、無線品質取得部１１１が取得した無線基地局２００Ａ（または無線基地局２００Ｂ）と無線端末３００との間における無線品質が所定の閾値以下である場合、経過時間Ｔがハンドオーバタイマ値ＴＢによって設定される時間に達していなくても当該中止指示を無線端末３００に送信することもできる。
【００３２】
さらに、ハンドオーバ制御部は、無線品質取得部１１１が取得した当該無線品質が所定の閾値を超える場合、タイマ１０７を再起動し、タイマ１０７に経過時間Ｔをあらためて計測させることもできる。
【００３３】
無線品質取得部１１１は、無線端末３００が無線通信を実行しているセル（無線基地局）との無線品質、及び当該セルの周辺に形成される周辺セルと無線端末３００との間における無線品質を取得する。具体的には、無線品質取得部１１１は、無線端末３００から送信されたハンドオーバ要求に含まれる当該無線品質の測定結果を用いて、無線端末３００が無線通信を実行中のセル及び周辺セルの無線品質を取得する。
【００３４】
（３）無線端末の構成
図３は、無線端末３００の機能ブロック図である。図３に示すように、無線端末３００は、無線通信部３０１、ハンドオーバ実行部３０３及びハンドオーバ中止処理部３０５を備える。なお、以下、本発明と関連する部分について主に説明する。したがって、無線端末３００は、無線端末３００としての機能を実現する上で必須な、図示しない或いは説明を省略したブロック（電源部など）を備えることに留意されたい。
【００３５】
無線通信部３０１は、無線基地局２００Ａ（または無線基地局２００Ｂ）とW-CDMA方式に従った無線通信を実行する。
【００３６】
ハンドオーバ実行部３０３は、無線通信部３０１による無線基地局２００Ａ（または無線基地局２００Ｂ）との無線通信の状態に基づいて、他のセル、具体的には、周辺セルへのハンドオーバを実行する。ハンドオーバ実行部３０３は、無線通信部３０１と、無線基地局２００Ａ（または無線基地局２００Ｂ）との無線品質に基づいて、周辺セルへのハンドオーバを実行するか否かを決定する。
【００３７】
ハンドオーバ中止処理部３０５は、無線制御装置１００から受信したハンドオーバの中止指示に基づいて、ハンドオーバを中止する。具体的には、ハンドオーバ中止処理部３０５は、無線通信部３０１が無線制御装置１００から当該中止指示を受信した場合、ハンドオーバ実行部３０３による周辺セルへのハンドオーバを中止させる。
【００３８】
（４）無線通信システムの動作
次に、無線通信システム１の動作について説明する。具体的には、（４．１）ハンドオーバシーケンス及び（４．２）無線制御装置の動作について説明する。
【００３９】
（４．１）ハンドオーバシーケンス
図４は、無線通信システム１におけるハンドオーバシーケンスを示す。図４に示すように、ステップＳ１０において、無線端末３００は、周辺セル、例えば、セル４００Ａからセル４００Ｂに向かって移動する。
【００４０】
ステップＳ２０において、無線端末３００は、セル４００Ａとの無線品質が所定の閾値より劣化したことに基づいて、無線制御装置１００に対して、セル４００Ｂへのハンドオーバ要求を送信する。
【００４１】
ステップＳ３０において、無線制御装置１００は、無線端末３００から受信したハンドオーバ要求に基づいて、ハンドオーバ処理を実行する。特に、無線制御装置１００は、無線端末３００からハンドオーバ要求を受け付けた時点からの経過時間Ｔがハンドオーバタイマ値ＴＢに達した場合、ハンドオーバ処理を中止する。
【００４２】
ステップＳ４０において、無線制御装置１００は、経過時間Ｔがハンドオーバタイマ値ＴＢに達したことに基づいて、ハンドオーバの中止を指示する中止指示を無線端末３００に送信する。
【００４３】
ステップＳ５０において、無線端末３００は、無線制御装置１００から受信した中止指示に従って要求したハンドオーバを中止する。
【００４４】
（４．２）無線制御装置の動作
図５は、無線制御装置１００のハンドオーバ処理フローを示す。図５に示すように、ステップＳ１１０において、無線制御装置１００は、無線端末３００からハンドオーバ要求を受信する。
【００４５】
ステップＳ１２０において、無線制御装置１００は、ハンドオーバ要求の内容を解析し、無線端末３００と無線通信を実行するセル（無線基地局）の追加が必要か否かを判定する。
【００４６】
セルの追加が必要でない場合（ステップＳ１２０のＮＯ）、ステップＳ１３０において、無線制御装置１００は、従来方法に従ったハンドオーバ処理を実行する。つまり、無線制御装置１００は、経過時間Ｔがハンドオーバタイマ値ＴＢに達したか否かを判定することなく、ハンドオーバ処理を実行する。本実施形態では、ハンドオーバに際してセルの追加が必要な場合に、経過時間Ｔがハンドオーバタイマ値ＴＢに達したか否かが判定される。
【００４７】
セルの追加が必要な場合（ステップＳ１２０のＹＥＳ）、ステップＳ１４０において、無線制御装置１００は、無線端末の種別に基づいてハンドオーバタイマ値ＴＢを決定する。無線端末の種別とは、IMT-2000方式であれば、無線端末（移動機）の機種や実装ソフトウェアを識別する情報である。この情報は、無線通信の開始時に無線端末３００から取得してもよいし、コアネットワーク１０を介してサーバ（不図示）などから取得してもよい。
【００４８】
ステップＳ１５０において、無線制御装置１００は、タイマ１０７を起動し、ハンドオーバ処理を開始する。無線制御装置１００は、タイマ１０７を起動することによって、無線端末３００からハンドオーバ要求を受け付けた時点からの経過時間Ｔを計測する。
【００４９】
ステップＳ１６０において、無線制御装置１００は、経過時間Ｔがハンドオーバタイマ値ＴＢに達したか否かを判定する。
【００５０】
経過時間Ｔがハンドオーバタイマ値ＴＢに達していない場合（ステップＳ１６０のＮＯ）、ステップＳ１７０において、無線制御装置１００は、無線端末３００からハンドオーバ要求をあらためて受信したか否かを判定する。
【００５１】
無線端末３００からハンドオーバ要求をあらためて受信した場合（ステップＳ１７０のＹＥＳ）、ステップＳ１８０において、無線制御装置１００は、ステップＳ１７０においてあらためて受信したハンドオーバ要求に含まれている追加セルの無線品質が予め定めた所定の閾値以下であるか否かを判定する。或いは、無線制御装置１００は、当該ハンドオーバ要求に追加セルの情報が含まれているか否かを判定する。
【００５２】
経過時間Ｔがハンドオーバタイマ値ＴＢに達した場合（ステップＳ１６０のＹＥＳ）、追加セルの無線品質が所定の閾値以下である場合（ステップＳ１８０の閾値以下）、またはハンドオーバ要求に追加セルの情報が含まれていない場合（ステップＳ１８０の情報なし）、ステップＳ１９０において、無線制御装置１００はハンドオーバ処理を中止する。
【００５３】
追加セルの無線品質が所定の閾値を超える場合（ステップＳ１８０の閾値超）、ステップＳ２００において、無線制御装置１００は、実行中のハンドオーバ処理を継続することによってハンドオーバが正常に完了すると判定し、タイマ１０７を停止して再起動する。
【００５４】
無線端末３００からハンドオーバ要求をあらためて受信していない場合（ステップＳ１７０のＮＯ）、またはステップＳ２００の処理後、ステップＳ２１０において、無線制御装置１００は、ハンドオーバ処理が終了したか否かを判定する。
【００５５】
ハンドオーバ処理が終了した場合（ステップＳ２１０のＹＥＳ）、ステップＳ２２０において、無線制御装置１００は、タイマ１０７を停止する。
【００５６】
なお、無線制御装置１００は、ステップＳ１１０において無線端末３００からハンドオーバ要求を受信したときにタイマ１０７を起動してもよい。また、無線制御装置１００は、経過時間Ｔがハンドオーバタイマ値ＴＢに達したか否かを、ステップＳ１２０〜Ｓ１５０のタイミングにおいて判定してもよい。
【００５７】
さらに、無線制御装置１００は、ステップＳ２００においてハンドオーバ処理の状況に応じてハンドオーバタイマ値ＴＢを変更してもよい。
【００５８】
（５）作用・効果
無線通信システム１によれば、無線制御装置１００がハンドオーバ要求を受け付けた時点からの経過時間Ｔがハンドオーバタイマ値ＴＢに達したと判定された場合、ハンドオーバの中止を指示する中止指示が無線制御装置１００から無線端末３００に送信される。また、無線端末３００は、受信した中止指示に基づいて、ハンドオーバを中止する。
【００５９】
このため、無線端末３００がハンドオーバを要求してからハンドオーバの実行指示を受信するまでに所定の時間以上を要した場合、例えば、上述したようにハンドオーバに伴ってセルの追加が必要な場合であってハンドオーバ処理に長い時間を要した場合には、ハンドオーバが中止される。したがって、無線端末３００の移動などに伴ってハンドオーバ先として要求したセルとの通信が既に不可能であるにもかかわらず、当該セルへの無駄なハンドオーバ処理が実行されることを回避できる。
【００６０】
すなわち、無線通信システム１によれば、ハンドオーバの要求から実行指示までに時間を要する場合において、ハンドオーバ先として要求したセルへの無駄なハンドオーバ処理による通信品質の劣化を抑制できる。
【００６１】
本実施形態では、無線端末３００の周辺セルと、無線端末３００との間における無線品質が所定の閾値以下である場合、或いは当該無線品質を無線制御装置１００が取得できない場合（図５のステップＳ１８０参照）、経過時間Ｔがハンドオーバタイマ値ＴＢに達していなくてもハンドオーバの中止指示が無線端末３００に送信される。このため、無駄なハンドオーバ処理が実行に伴う通信品質の劣化をさらに抑制できる。
【００６２】
また、当該無線品質が所定の閾値を超える場合には、経過時間Ｔを計測するタイマ１０７が再起動されるため、追加セルの無線品質が良好な場合には、ハンドオーバタイマ値ＴＢに達したことによるハンドオーバの中止を低減できる。
【００６３】
（６）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００６４】
例えば、周辺セルと無線端末３００との間における無線品質が所定の閾値以下である場合であっても、無線制御装置１００は、必ずしも経過時間Ｔがハンドオーバタイマ値ＴＢに達する前にハンドオーバの中止指示を無線端末３００に送信しなくても構わない。また、周辺セルと無線端末３００との間における無線品質が所定の閾値を超える場合であっても、無線制御装置１００は、必ずしもタイマ１０７を再起動しなくてもよい。
【００６５】
上述した実施形態では、無線制御装置１００は、ハンドオーバに伴ってセルの追加が必要な場合に経過時間Ｔを測定（図４のステップＳ１２０以降参照）していたが、無線制御装置１００は、セルの追加有無にかかわらず、常に、経過時間Ｔがハンドオーバタイマ値ＴＢに達したかを判定してもよい。
【００６６】
上述した実施形態では、W-CDMA方式に従った無線通信システムを例として説明したが、本発明を適用可能な無線通信方式は、必ずしもこれらに限定されない。例えば、LTEなどの無線通信システムでもよい。
【００６７】
また、無線制御装置１００の機能は、ハードウェアによって実現されてもよいし、プロセッサによって実行されるソフトウェアモジュールによって実現されてもよい。或いは、ハードウェアとソフトウェアの組み合わせによって実現されてもよい。
【００６８】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００６９】
１…無線通信システム、１０…コアネットワーク、１００…無線制御装置、１０１…無線通信制御部、１０３…要求受付部、１０５…ハンドオーバ監視部、１０７…タイマ、１０９…ハンドオーバ制御部、２００Ａ，２００Ｂ…無線基地局、３００…無線端末、３０１…無線通信部、３０３…ハンドオーバ実行部、３０５…ハンドオーバ中止処理部、４００Ａ，４００Ｂ…セル
【図１】
2011004292.tif 000003
【図２】
2011004292.tif 000004
【図３】
2011004292.tif 000005
【図４】
2011004292.tif 000006
【図５】
2011004292.tif 000007